(57)【要約】【課題】参考書や取扱説明書のように節が進むに従って高度な内容が記述される文書データに対して、新規の分類対象文書を適切な節に分類するための分類先候補の提示を行う。【解決手段】文書分類支援装置の重要語抽出部１０２は、分類先文書ＤＢ１０１から分類先文書を読み出して重要語を抽出し、重要語ＤＢ１０３へ書き込む。重要語抽出部２０２は、分類対象文書記憶部２０１から読み出した分類対象文書から、重要語ＤＢ１０３内に登録されている重要語を抽出する。主題抽出部２０３は、抽出された重要語群からなる分類対象文書の主題を求める。分類先導出部２０４は、主題を構成する各重要語が分類先文書に最初に出現する節のうち、最も後ろの節を主題の分類先の節とする。表示部２０６は、分類対象文書の各主題を構成する重要語群と、各主題の分類先の節を画面に表示する。【選択図】　　　図１
2004145626.tif 000002
【特許請求の範囲】
【請求項１】
階層化されたセクションにより構成される分類先文書と、前記分類先文書の下位階層のセクションへの分類を行う対象の分類対象文書と、重要語及び該重要語が前記分類先文書中に出現する下位階層のセクションの情報とを記憶する記憶部と、
前記記憶部から前記分類先文書を読み出し、重要語を抽出して該重要語が出現する下位階層のセクションの情報とともに前記記憶部に書き込む第１の重要語抽出部と、
前記記憶部から前記分類対象文書及び前記重要語を読み出し、前記分類対象文書から読み出した重要語を抽出する第２の重要語抽出部と、
前記第２の重要語抽出部が抽出した重要語と、前記記憶部内の該重要語が前記分類先文書中に出現する下位階層のセクションの情報とを基に、該重要語群からなる分類対象文書の主題を抽出する主題抽出部と、
前記主題抽出部が抽出した分類対象文書の主題を構成する重要語群と、前記記憶部内の該重要語が前記分類先文書中に出現する下位階層のセクションの情報とを基に、前記分類対象文書の主題の分類先の下位階層のセクションを導出する分類先導出部と、
前記主題抽出部が抽出した分類対象文書の主題を構成する重要語群と、前記分類先導出部が導出した分類対象文書の主題の分類先の下位階層のセクションとを表示する表示部と、
を具備することを特徴とする文書分類支援装置。
【請求項２】
前記分類先導出部は、主題を構成する各重要語群が前記分類先文書内に初めて出現する下位階層のセクションのうち、最も後ろの下位階層のセクションを分類先の下位階層のセクションとして導出することを特徴とする請求項１に記載の文書分類支援装置。
【請求項３】
前記第１の重要語抽出部は、予め決められた品詞、重要な事柄であることを表す文表現、あるいは、分類先文書中の単語分布を基に重要語を抽出することを特徴とする請求項１または請求項２に記載の文書分類支援装置。
【請求項４】
前記主題抽出部は、前記第２の重要語抽出部が抽出した重要語を、前記分類先文書中の同じ下位階層のセクションに出現する重要語群に分割して主題を抽出することを特徴とする請求項１から請求項３のいずれかの項に記載の文書分類支援装置。
【請求項５】
階層化されたセクションにより構成される分類先文書と、前記分類先文書の下位階層のセクションへの分類を行う対象の分類対象文書と、重要語及び該重要語が前記分類先文書中に出現する下位階層のセクションの情報とを記憶する記憶部から前記分類先文書を読み出すステップと、
読み出した前記分類先文書から重要語を抽出し、該重要語が出現する下位階層のセクションの情報とともに前記記憶部に書き込むステップと、
前記記憶部から分類対象文書及び重要語を読み出し、前記分類対象文書から読み出した重要語を抽出するステップと、
前記分類対象文書から抽出した重要語と、前記記憶部内の該重要語が前記分類先文書中に出現する下位階層のセクションの情報とを基に、該重要語群からなる分類対象文書の主題を抽出するステップと、
抽出した前記分類対象文書の主題を構成する重要語群と、前記記憶部内の該重要語が前記分類先文書中に出現する下位階層のセクションの情報とを基に、前記分類対象文書の主題の分類先の下位階層のセクションを導出するステップと、
前記分類対象文書の主題を構成する重要語群と、主題の分類先の下位階層のセクションとを表示するステップと、
をコンピュータに実行させるための文書分類支援装置のコンピュータプログラム。
【発明の詳細な説明】
【０００１】
【発明の属する技術分野】
この発明は、文書データの分類を支援する文書分類支援装置に関する。
【０００２】
【従来の技術】
従来、コンピュータによる文書の自動分類は、各文書がすでにカテゴリに分類されている文書集合を利用することによって、与えられた文書をより詳細で適切なカテゴリに分類することが多い。このような文書の自動分類の従来手法の多くは、文書から単語やフレーズなどの特徴を抽出し、その出現頻度などの特徴量を用いて適切なカテゴリに自動分類する。
特許文献１には、「会社名」や「製品名」などのグループごとに分類された名詞的表現や、同じくグループごとに分類された動詞的表現を文書から抽出し、これらの表現とその出現個所を文書の特徴量として用いることにより文書の分類を行う技術が記載されている。
また、特許文献２には、文書中に含まれる単語に加え、文書の話題内容を表す単語、また文書の発言者や作成日付などの文書の付随属性情報などを文書の特徴量として用いることにより文書の分類を行う技術が記載されている。
また、特許文献３には、一つの文書から複数の単語集合を主題として抽出することにより、複数の主題を考慮して二つの文書間の類似度を算出したり、この文書間類似度算出方法を用いて文書検索を行ったり、文書集合のクラスタリングを行う技術が記載されている。
【０００３】
【特許文献１】
特開２００２−１０８８９３号公報（段落００１４−段落００７９、第１図−第２４図）
【特許文献２】
特開２００１−６０１９９号公報（段落００２９−００８０段落、第図１−第７図）
【特許文献３】
特開２０００−１２３０４１号公報（段落００４８−０１０６段落、第４図−第１０図）
【０００４】
【発明が解決しようとする課題】
ある文書を、参考書や取扱説明書のような文書集合へ分類することを想定する。参考書や取扱説明書は、章や節などの階層的なセクションにより構成されていることが多い。また、章や節には順序があり、節が進むにしたがって高度な内容について記述され、ある箇所に記述されている内容が前提となってそれ以降の内容が記述されている。従って、ある節で出現した重要語がそれ以降の節にも出現し、節が進むにつれ、出現する重要語が累積していくことが多い。また、章のような上位階層のセクションどうしは関連する内容が少ない。そこで、分類対象の文書をこのような文書集合の節に自動分類する場合、その分類対象の文書の内容について最初に記述されている節（「初出の節」とよぶ）に分類すべきである。初出の節以降の節にはより高度な内容が記述されているため、分類先として適切でない。例えば、理科の教科書のある節において「電流」が、次の節において「電流」を用いて「電圧」が説明され、さらに後述の節において「電流」及び「電圧」を用いて「抵抗」の説明がなされている場合、「電流」が記載されている分類対象の文書は、「電圧」又は「抵抗」の説明がなされている節ではなく、最初に「電流」が説明されている初出の節に分類されるべきである。
このような状況において、特許文献１〜３に示される従来の分類手法には以下のような問題点があった。
（１）分類対象文書中には主題となる内容が複数ある場合があるにも関わらず、分類先を一つに決定していたため、利用者は正しい分類先を見つけ出すのに時間がかかっていた。例えば、特許文献３の主題抽出手法を用いれば、抽出された主題ごとに分類先を決定することもできる。しかし、この主題抽出方法は、一つの文書中の単語分布のみから主題を抽出するものであり、すでにカテゴリに分類されている文書集合の文書中の単語分布を利用していない。そのため、抽出された主題はカテゴリの内容を考慮したものになっておらず、しばしば両者の内容がうまく適合しないことがあるという問題点がある。
（２）分類対象文書の内容に関連する重要語は、初出の節よりも後ろの節に多く出現することがある。従って、単語の出現頻度などを利用する従来手法においては、重要語がしばしば初出の節よりも後ろの節に分類されてしまい、利用者が正しい分類先に修正する手間が大きかった。
（３）分類対象文書全体に対する分類先を提示しているが、文書中のどの部分が分類先カテゴリに関連しているかを提示することは行っていない。よって、利用者は分類先が正しいかを否かを判断するために分類対象文書全体を参照する必要があり、手間がかかっていた。
【０００５】
この発明は、上記のような事情を考慮してなされたもので、その目的は、節が進むに従って高度な内容が記述される文書データに対して、新規の分類対象文書を適切な節に分類するための分類先候補の提示を行うことができる文書分類支援装置を提供することにある。
【０００６】
【課題を解決するための手段】
この発明は、上記の課題を解決すべくなされたもので、請求項１に記載の発明は、階層化されたセクションにより構成される分類先文書と、前記分類先文書の下位階層のセクションへの分類を行う対象の分類対象文書と、重要語及び該重要語が前記分類先文書中に出現する下位階層のセクションの情報とを記憶する記憶部と、前記記憶部から前記分類先文書を読み出し、重要語を抽出して該重要語が出現する下位階層のセクションの情報とともに前記記憶部に書き込む第１の重要語抽出部と、前記記憶部から前記分類対象文書及び前記重要語を読み出し、前記分類対象文書から読み出した重要語を抽出する第２の重要語抽出部と、前記第２の重要語抽出部が抽出した重要語と、前記記憶部内の該重要語が前記分類先文書中に出現する下位階層のセクションの情報とを基に、該重要語群からなる分類対象文書の主題を抽出する主題抽出部と、前記主題抽出部が抽出した分類対象文書の主題を構成する重要語群と、前記記憶部内の該重要語が前記分類先文書中に出現する下位階層のセクションの情報とを基に、前記分類対象文書の主題の分類先の下位階層のセクションを導出する分類先導出部と、前記主題抽出部が抽出した分類対象文書の主題を構成する重要語群と、前記分類先導出部が導出した分類対象文書の主題の分類先の下位階層のセクションとを表示する表示部と、を具備することを特徴とする文書分類支援装置である。
【０００７】
請求項２に記載の発明は、請求項１に記載の文書分類支援装置であって、前記分類先導出部は、主題を構成する各重要語群が前記分類先文書内に初めて出現する下位階層のセクションのうち、最も後ろの下位階層のセクションを分類先の下位階層のセクションとして導出することを特徴とする。
【０００８】
請求項３に記載の発明は、請求項１または請求項２に記載の文書分類支援装置であって、前記第１の重要語抽出部は、予め決められた品詞、重要な事柄であることを表す文表現、あるいは、分類先文書中の単語分布を基に重要語を抽出することを特徴とする。
【０００９】
請求項４に記載の発明は、請求項１から請求項３のいずれかの項に記載の文書分類支援装置であって、前記主題抽出部は、前記第２の重要語抽出部が抽出した重要語を、前記分類先文書中の同じ下位階層のセクションに出現する重要語群に分割して主題を抽出することを特徴とする請求項１から請求項３のいずれかの項に記載の文書分類支援装置。
【００１０】
請求項５に記載の発明は、階層化されたセクションにより構成される分類先文書と、前記分類先文書の下位階層のセクションへの分類を行う対象の分類対象文書と、重要語及び該重要語が前記分類先文書中に出現する下位階層のセクションの情報とを記憶する記憶部から前記分類先文書を読み出すステップと、読み出した前記分類先文書から重要語を抽出し、該重要語が出現する下位階層のセクションの情報とともに前記記憶部に書き込むステップと、前記記憶部から分類対象文書及び重要語を読み出し、前記分類対象文書から読み出した重要語を抽出するステップと、前記分類対象文書から抽出した重要語と、前記記憶部内の該重要語が前記分類先文書中に出現する下位階層のセクションの情報とを基に、該重要語群からなる分類対象文書の主題を抽出するステップと、抽出した前記分類対象文書の主題を構成する重要語群と、前記記憶部内の該重要語が前記分類先文書中に出現する下位階層のセクションの情報とを基に、前記分類対象文書の主題の分類先の下位階層のセクションを導出するステップと、前記分類対象文書の主題を構成する重要語群と、主題の分類先の下位階層のセクションとを表示するステップと、をコンピュータに実行させるための文書分類支援装置のコンピュータプログラムである。
【００１１】
【発明の実施の形態】
以下、図面を参照し、この発明の実施の形態について説明する。
まず、本実施の形態による文書分類支援装置が文書分類を支援する対象の文書（以下、「分類対象文書」）の分類先となる文書（以下、「分類先文書」）の特徴を示す。分類先文書は、参考書や取扱説明書のように、徐々に記述内容が高度になっていく文書であり、以下のような特徴を備える。
（１）章及び節からなる階層的なセクションにより構成される。もっとも細かい下位階層のセクションを節、節よりも上位階層のセクションを章と呼ぶ。したがって、最も下位階層の章は複数の節から構成される。
（２）ある一つのもっとも下位階層の章においては、節が進むにしたがって徐々に高度な内容が記述される。すなわち、ある箇所で記述されている内容を前提として、それ以降の内容が記述される。そのため、ある節で出現した重要語がそれ以降の節にも出現し、節が進むにしたがって出現する重要語が累積していく。
（３）章の間には、関連する内容が少ない。教科書を例にとると、ある学年・科目も一つの章として捉えることができる。
【００１２】
図１は、この発明の一実施の形態による文書分類支援装置の構成を機能展開して示したブロック図である。
分類先文書データベース（ＤＢ）１０１（記憶部）は、電子化された文書データの集合である分類先文書と、各文書が記述されているセクション、すなわち、各文書データが属する章及び節の情報とを記憶している。分類先文書は、例えば、教科書、参考書、各種操作マニュアルなどである。
重要語データベース（ＤＢ）１０３（記憶部）は、分類先文書から抽出された重要語に関する情報と、重要語の候補となる重要語候補に関する情報とを記憶する。
分類対象文書記憶部２０１（記憶部）は、電子化された文書データである分類対象文書を記憶している。分類対象文書は、例えば、新聞記事やコラム、操作マニュアルの一部などである。
重要語抽出部１０２（第１の重要語抽出部）は、分類先文書ＤＢ１０１から分類先文書を読み出して重要語及び重要語候補を抽出し、重要語ＤＢ１０３に書き込む機能を有する。
重要語抽出部２０２（第２の重要語抽出部）は、分類対象文書記憶部２０１から分類対象文書を読み出し、重要語ＤＢ１０３に登録されている重要語及び重要語候補を抽出する機能を有する。
主題抽出部２０３は、重要語抽出部２０２が分類対象文書から抽出した重要語を用いて、分類対象文書の主題を抽出する機能を有する。
分類先導出部２０４は、主題抽出部２０３が抽出した主題に基づき、重要語が分類されるべき分類先文書の節を導出する機能を有する。
記述範囲導出部２０５は、分類対象文書中の重要語の記載範囲を導出する機能を有する。
表示部２０６は、文書分類支援装置が備えるディスプレイへの出力を制御し、分類先導出部２０４や記述範囲導出部２０５の処理結果を表示する機能を有する。
【００１３】
次に、本実施の形態による文書分類支援装置の処理手順について説明する。文書分類支援装置の処理手順は、「分類先文書からの重要語抽出」段階と「分類対象文書の分類支援」段階との２つの段階により構成される。
図２は、分類先文書からの重要語抽出の処理手順を示す図である。「分類先文書からの重要語抽出」段階においては、まず分類の前段階として、参考書や取扱説明書などの分類先文書から節ごとに重要語を抽出する。
ステップＳ１１０：
まず、重要語抽出部１０２は、分類先文書と分類先文書中の各文書データが属する章及び節の情報を分類先文書ＤＢ１０１から読み出し、形態素解析によって単語に分割し、単語ごとの品詞を特定する。
【００１４】
ステップＳ１２０：
続いて、重要語抽出部１０２は、ステップＳ１１０において分類した単語の品詞、分類先文書中の文表現及び単語分布を利用して重要語を抽出する。具体的には、以下の「（１）品詞の条件」を満たし、さらに、「（２ａ）文表現の条件」または「（２ｂ）単語分布の条件」を満たす単語を重要語として抽出する。さらに、重要語抽出部１０２は、重要語の条件を満たさないが、「（１）品詞の条件」のみを満たす単語を重要語候補として抽出する。
（１）品詞の条件
特定の品詞をもつ単語を抽出する。例えば、品詞が名詞、動詞、形容詞のいずれかである単語を抽出する。
（２ａ）文表現の条件
重要な事柄であることを表す文表現に基づき重要語を抽出する。例えば、形態素解析結果により、
「を／格助詞　Ａ／名詞　と／格助詞　いい／動詞　ます／助動詞」
という文表現を認識した場合、単語Ａを重要単語として抽出する。その他、重要な事柄であることを表す文表現には、以下がある。
「Ａ／名詞　と／格助詞　は／係助詞　（いくつかの単語）　の／格助詞　こと／名詞　です／助動詞」（単語Ａが重要語）
「Ａ／名詞　に／格助詞　なる／動詞　と／接続助詞」（単語Ａが重要語）
（２ｂ）単語分布の条件
一般的に、多くの節に出現する単語は重要語ではないことが多い。換言すれば、ある箇所とその周辺に集中して出現し、その他の場所にはあまり出現しない単語が重要であることが多い。そこで以下の２つの条件を満たす単語を重要語として抽出する。
・文書中の全節に対して、単語が出現する節の比率が所定の閾値以下の割合である。例えば、閾値は１／５〜１／１０とする。
・分類先文書中のすべての文章に連番を付与した場合、単語が出現する文の番号の分散が所定の閾値以下の値である。
【００１５】
ステップＳ１３０：
重要語抽出部１０２は、ステップＳ１２０において抽出した重要語と重要語候補に関する情報を重要語ＤＢ１０３に登録する。すなわち、重要語、重要語の品詞、重要語が出現する分類先文書の章と節、及び、重要語が出現する節ごとの出現頻度からなる重要語情報と、重要語候補、重要語候補の品詞、重要語候補が出現する分類先文書の章と節、及び、重要語候補が出現する節ごとの出現頻度からなる重要語候補情報とを重要語ＤＢ１０３に書き込む。
本実施例においては、以下の重要語情報が書き込まれたとする。
2004145626.tif 000003
【００１６】
図３は、分類対象文書の分類支援の処理手順を示す図である。「分類対象文書の分類支援」においては、まず分類対象文書から関連する重要語のグループにより構成される主題を抽出し、各主題を分類先文書内の節に分類する。そして、各主題に対応する分類対象文書の記述範囲を求めて提示する。さらに、利用者の操作により、分類先文書内の分類先の節を修正し、決定する。
ステップＳ２１０：
まず、重要語抽出部２０２は、分類対象文書記憶部２０１から分類対象文書を読み出し、形態素解析によって単語に分割し、単語ごとの品詞を特定する。
【００１７】
ステップＳ２２０：
重要語抽出部２０２は、重要語ＤＢ１０３から重要語情報及び重要語候補情報を読み出し、ステップＳ２１０において分割した単語のうち、読み出した重要語、あるいは、重要語候補と一致する単語を分類対象文書内から抽出する。
本実施例においては、分類対象文書内から重要語として、重要語１、重要語２、重要語３、重要語４、重要語５、重要語６及び重要語７が抽出され、重要語候補として単語８、単語９、単語１０、単語１１、及び、単語１２が抽出されたとする。
【００１８】
ステップＳ２３０：
主題抽出部２０３は、ステップＳ２２０において重要語抽出部２０２が分類対象文書から抽出した重要語が分類先文書において出現する章と節を用い、分類対象文書の主題を抽出する。すなわち、主題抽出部２０３は、以下の２段階により、主題を構成する重要語群を抽出する。
（１）分類先文書の章ごとに出現する重要語群を求める。ひとつの重要語が複数の章に含まれていてもよい。
（２）各章に含まれる重要語群に対し、「同じ節に出現する重要語は同じクラスタに含まれる」という条件に基づいて重要語群をクラスタリング（分割）し、最小のクラスタを得る。得られた各クラスタが一つの主題を表し、同じクラスタ内に含まれる重要語群が主題を構成する重要語群となる。
ステップＳ２２０において重要語ＤＢ１０３から読み出した重要語情報と、分類対象文書から抽出された重要語の例を用いて具体的に説明する。分類先文書の１章において、節１．１に重要語４が、節１．２及び節１．３に重要語４及び重要語５が出現しており、他の重要語と、重要語４あるいは重要語５が同じ節内に出現している箇所はない。従って、重要語４及び重要語５からなる重要語群が１つの主題（「主題Ｂ」とする）を表している。また、節１．４及び節１．５に重要語３が、節１．６に重要語２及び重要語３が、節１．７に重要語１及び重要語２が、節１．８に重要語１、重要語２及び重要語３が出現しており、１章において、重要語１、重要語２あるいは重要語３が他の重要語と同時に出現している節はない。よって、重要語１、重要語２及び重要語３からなる重要語群が１つの主題（「主題Ａ」とする）を表している。同様に、２章については、重要語６及び重要語７からなる重要語群が１つの主題（「主題Ｃ」とする）を表している。
【００１９】
ステップＳ２４０：
分類先導出部２０４は、各主題の分類先の節を導出する。すなわち、各主題について、主題を構成する各重要語が分類先文書内に初めて出現する節（「初出の節」）のうち、最も後ろの節を分類先の節とする。
具体的に説明すると、主題Ａの重要語群は重要語１、重要語２及び重要語３からなり、重要語１の初出の節は節１．７、重要語２の初出の節は節１．６、重要語３の初出の節は節１．４である。従って、重要語１の初出の節１．７が主題Ａを構成する重要語群の中で最も後ろの初出の節であり、主題Ａの分類先の節となる。同様に、主題Ｂの分類先の節は重要語４の初出の節１．２、主題Ｃの分類先の節は重要語６の初出の節２．３となる。
【００２０】
ステップＳ２５０：
分類先導出部２０４は、表示部２０６に指示することにより、各主題の分類先の節や重要語が出現する節などを視覚的に表示する。具体的には、以下により、文書分類支援画面の表示を行う。
（１）各主題を構成する重要語群と、重要語群を構成する重要語と同じ節内に出現し、ステップＳ２２０で抽出された重要語候補群とを表示する。
（２）初出の節が最も後ろの重要語から順に各重要語が出現する節とその出現頻度、および、初出の節を表示する。また、ステップＳ２４０において導出した分類先の節に対応するチェックボックスをＯＮに設定する。なお、節に対応するチェックボックスは、分類先の節の決定に使用される。
（３）分類先文書の章と節の一覧のうち、各主題の分類先の節を反転表示したり、他の節とは色を変えるなどして強調表示する。
【００２１】
図４は、文書分類支援画面イメージを示す図である。
文書分類支援画面には、分類先文書を構成する章とその配下の節の一覧が縦方向にツリー状に表示され、各節の横には主題の分類先であるか否かを示すチェックボックスが表示される。そして、各主題Ａ、主題Ｂ、主題Ｃが横方向に並べて表示され、各主題を構成する重要語群及び重要語群を構成する重要語と同じ節内に出現する重要語候補群が示される。図においては、主題Ａは、重要語１、重要語２及び重要語３からなる重要語群と、単語８及び単語９からなる重要語候補群とで構成されることを示している。また、主題Ｂは、重要語４及び重要語５からなる重要語群と、単語１０及び単語１１からなる重要語候補群とで構成され、主題Ｃは、重要語６及び重要語７からなる重要語群と、単語１２からなる重要語候補群とで構成されることを示している。
各主題の重要語群は、初出の節がもっとも後ろの重要語から順に、各重要語が出現する節とその出現頻度が提示される。また、各重要語の初出の節が強調表示される。図において、主題Ａの重要語１は初出の節１．７に２回、節１．８に４回出現し、重要語２は初出の節１．６に３回、節１．７に２回、節１．８に３回出現し、重要語３は初出の節１．４に４回、節１．５に１回、節１．６に３回、節１．８に４回出現していることを示している。そして、主題Ａの中で最も初出の節が後ろである重要語Ａの初出の節１．７が強調表示され、横のチェックボックスがＯＮとなり、主題Ａの分類先の節であることを示している。同様に、主題Ｂにおいては、分類先の節として重要語４の初出の節１．２が強調表示され、横のチェックボックスがＯＮとなり、主題Ｃにおいては、重要語６の初出の節２．３が強調表示され、横のチェックボックスがＯＮとなっている。これにより、重要語が出現する順番を把握するとともに、初出の節が最も後ろの重要語が分類先に寄与していることを一目で認識することが可能となる。
【００２２】
図３のステップＳ２５０に戻り、さらに、分類先導出部２０４は、表示された文書分類支援画面に対する利用者の操作に従って、分類先文書ＤＢ１０１から分類先文書と分類先文書中の各文書データが属する章及び節の情報を読み出し、文書分類を支援する以下の画面を表示するよう表示部２０６へ指示する。
（１）利用者が、マウスのクリックにより分類先文書の章と節の一覧の中から章あるいは節を選択した場合、分類先文書中の該当する章あるいは節の文全体を表示する。また、表示された章あるいは節中に出現する重要語及び出現頻度の一覧を表示する。なお、このとき表示される重要語には、分類対象文書には含まれていない重要語も含まれる。
（２）利用者が、マウスのクリックにより各主題を構成する重要語群の中から重要語を選択した場合、分類先文書中の該当する重要語が出現する文とその周辺の文を表示する。
（３）利用者が、マウスのクリックにより重要語が出現する節の出現頻度の部分を選択した場合、選択した重要語が該当する分類先文書の節において出現する文とその周辺の文を表示する。
【００２３】
また、利用者が、主題を構成する重要語群に対して、マウスによるドラッグ＆ドロップの操作により、重要語を重要語候補に変更、あるいは、重要語候補を重要語に変更した場合は、重要語群の変更を受け、ステップＳ２４０からの処理を再び行い、新たに指定された重要語が分類先文書中に出現する節とその出現頻度、主題の分類先の節を抽出し、文書分類支援画面の表示を指示する。また、新たな分類先の節に対応するチェックボックスをＯＮにする。
【００２４】
ステップＳ２６０：
記述範囲導出部２０５は、以下の手順により、各主題の分類対象文書中における記述範囲を求めて表示部２０６に通知し、表示部２０６はディスプレイへの表示を行う。すなわち、各主題を構成する重要語群のうち一つ以上の重要語を含む分類対象文書中の文の集合を、その重要語が属する主題に対応する記述範囲として選択する。そして、分類対象文書中の主題ごとの重要語群と、主題の記述範囲とを提示する。
【００２５】
図５は、各主題の分類対象文書中における記述範囲の表示画面イメージを示す図である。図において、分類対象文書において、重要語６及び重要語７を含み、主題Ｃに対応する記述範囲が提示されている。また、重要語５及び重要語４を含み、主題Ｂに対応する記述範囲が、重要語１、重要語２及び重要語３を含み、主題Ａに対応する記述範囲が提示されている。
【００２６】
ステップＳ２７０：
図３のステップＳ２７０において、分類先導出部２０４は、利用者が文書分類支援画面に対して行う以下の操作による分類先の修正、選択に従い、分類先を決定する。
（１）利用者は、再び、各主題の重要語を重要語候補に変更、あるいは、重要語候補を重要語に変更する。この操作に応じて、自動的に分類先の節を修正し、新たな分類先の節に対応するチェックボックスをＯＮにする。
（２）利用者は、分類先の節に対応するチェックボックスをクリックすることにより、ＯＮ／ＯＦＦの設定を行い、分類先を選択する。
（３）利用者は、分類先を選択後、「分類先決定」ボタンをマウスでクリックするなどの操作を行い、分類先を確定する。分類先導出部２０４は、ＯＮが設定された節を主題の分類先の節として内部に記憶する。
【００２７】
本実施の形態による文書分類支援装置の利用イメージとして、以下があげられる。
（１）学校の先生がネットワーク上に公開されている新聞記事などの文書を授業の補助教材として活用するために、文書を教科書の節（ある程度まとまった学習範囲）に分類するための支援を行う。文書に含まれる主題ごとに分類先の節が提示されるため、正しい分類先の節を効率よく見つけることが可能となり、教科書の各節に対応する補助教材を短時間のうちに蓄積できる。
（２）ある装置を利用しようとしている人が、その装置の取扱説明書を読んでいるときに、意味の分からない文章や用語が出てきた場合、その文章や用語に対して取扱説明書の節への自動分類を行い、内容の理解を支援する。分類先の節の説明を参照することにより、その文章や用語の内容を理解することができる。
【００２８】
本実施の形態によれば、参考書や取扱説明書のような文書集合への文書の自動分類において、文書集合の初出の節を利用して分類対象文書の分類を行うことが可能になる。従って、従来の自動分類手法よりも適切な節（カテゴリ）に分類対象文書を分類することができる。
また、分類対象文書の複数の主題を分類先文書から抽出した重要語群により表すことが可能となる。従って、分類対象文書の各主題を構成する重要語群を表示することにより、利用者は分類対象文書にどのような主題が含まれているかを一目で把握することが可能となるとともに、分類作業の効率が向上する。
また、各主題の重要語を初出の節がもっとも後ろの重要語から順に表示することにより、初出の節がもっとも後ろの重要語が分類先に寄与していることが一目で分かり、分類作業の効率が向上する。
また、各重要語に対する分類先文書中の節が提示されるため、利用者は意味の分からない重要語の分類先文書中の節を参照することにより、分類対象文書の理解支援に役立つ。
【００２９】
なお、分類先文書ＤＢ１０１及び分類対象文書記憶部２０１は、文書が公開されているＵＲＩ（Ｕｎｉｖｅｒｓａｌ　Ｒｅｓｏｕｒｃｅ　Ｉｄｅｎｔｉｆｉｅｒ）など、文書の記憶場所を記憶することでもよい。この場合、記憶場所により示される文書を読み込み、上記処理が行われる。
また、ステップＳ１２０における品詞の条件、あるいは、単語分布の条件に付随する閾値は、利用者の操作により変更してもよい。
【００３０】
なお、上述の文書分類支援装置は、内部にコンピュータシステムを有している。そして、上述した文書分類支援装置の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００３１】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３３】
【発明の効果】
この発明によれば、参考書や取扱説明書のような文書集合への文書の自動分類において、文書集合の初出の節を利用して分類対象文書の分類を行うことが可能になる。従って、従来の自動分類手法よりも適切な節（カテゴリ）に分類対象文書を分類することができる。
また、分類対象文書の複数の主題を分類先文書から抽出した重要語群により表すことが可能となる。従って、分類対象文書の各主題を構成する重要語群を表示することにより、利用者は分類対象文書にどのような主題が含まれているかを一目で把握することが可能となるとともに、分類作業の効率が向上する。
【図面の簡単な説明】
【図１】この発明の一実施の形態による文書分類支援装置の構成を機能展開して示したブロック図である。
【図２】同実施の形態による分類先文書からの重要語抽出の処理手順を示す図である。
【図３】同実施の形態による分類対象文書の分類支援の処理手順を示す図である。
【図４】同実施の形態による文書分類支援画面イメージを示す図である。
【図５】同実施の形態による各主題の分類対象文書中における記述範囲の表示画面イメージを示す図である。
【符号の説明】
１０１…分類先文書ＤＢ（データベース）
１０２、２０２…重要語抽出部
１０３…重要語ＤＢ（データベース）
２０１…分類対象文書記憶部
２０３…主題抽出部
２０４…分類先導出部
２０５…記述範囲導出部
２０６…表示部
【図１】
2004145626.tif 000004
【図２】
2004145626.tif 000005
【図３】
2004145626.tif 000006
【図４】
2004145626.tif 000007
【図５】
2004145626.tif 000008